(57)【要約】【課題】固有共振周波数を高域に移動させ、高速化しても安定して動作するディスクプレーヤのレンズ駆動装置を提供すること。【解決手段】本発明のディスクプレーヤのレンズ駆動装置１００は対物レンズ４８が固定された上面壁６２とこの上面壁６２のトラッキング方向の両端部に連なり互いに離間整列した一対の側面壁６３とを有して、前記一対の側面壁６３間に開口が設けられたホルダ６０と、前記開口を塞ぐように、それぞれが前記上面壁６２と前記一対の側面壁６３との双方の両側面に取り付けられた一対の平板状プリントコイル７０とを備えている。【選択図】図６
2007200551.tif 000002
【特許請求の範囲】
【請求項１】
ディスクプレーヤのレンズ駆動装置であって、
対物レンズが固着された上面壁と該上面壁に連結されて互いにトラッキング方向に離間整列された一対の側面壁とを有するとともに、前記一対の側面壁間に開口が設けられたホルダと、
前記開口を塞ぐように、前記上面壁と前記一対の側面壁との双方の両側面に取り付けられた一対の平板状プリントコイルと、
を備えたことを特徴とするレンズ駆動装置。
【請求項２】
ディスクプレーヤのレンズ駆動装置であって、
対物レンズが固着された上面壁と該上面壁に連結されて互いにトラッキング方向に離間整列された一対の側面壁とを有するとともに、前記一対の側面壁間に開口が設けられたホルダと、
前記開口を塞ぐように、前記一対の側面壁の両側面に取り付けられた一対の平板状プリントコイルと、
前記一対の平板状プリントコイルのそれぞれに磁気ギャップを隔てて対向配置されているとともに、多極着磁された一対のマグネットと、
を備えたことを特徴とするレンズ駆動装置。
【請求項３】
前記上面壁から立設した環状に形成され、かつ、前記対物レンズを内側に位置付けて当該対物レンズを前記上面壁に位置決めする位置決め用の凸部が更に備えられ、
前記位置決め用の凸部のジッタ方向の幅と、前記上面壁のジッタ方向の幅とが互いに等しく形成されている
ことを特徴とする請求項１または請求項２記載のレンズ駆動装置。
【発明の詳細な説明】
【技術分野】
【０００１】
本発明は、ディスクプレーヤのレンズ駆動装置に関するものであり、特に可動部の構造に関する。
【背景技術】
【０００２】
ディスクに記録された情報をレーザー光を用いて光学的に信号の読み取り、或は書き込みを行うディスクプレーヤのレンズ駆動装置は、周知の如く、一般に対物レンズが固着されたホルダにフォーカスコイルとトラッキングコイルの駆動コイルを巻回し、該各駆動コイルにそれぞれ供給する駆動信号に応じてフォーカス制御及びトラッキング制御を行いながら対物レンズを駆動するように構成されている。
【０００３】
対物レンズを変位させるためのディスクプレーヤのレンズ駆動装置は、一般にフォーカス制御系及びトラッキング制御系においてそれぞれ固有共振周波数を有している。この固有共振周波数は、例えばホルダの大きさや質量によって形成される物理的な共振であり、固有共振周波数付近でレンズ駆動装置が駆動されると、対物レンズに有害な振動を与える。例えば、現行のレンズ駆動装置は、図１２に示す周波数特性を有している。図１２において、横軸は周波数を示し、縦軸は利得と位相を示している。図１２に示すように点線で示す振幅特性は、低い周波数領域における共振点以外は周波数が増加するのに伴い、ほぼ直線的に利得が低下する。また、実線で示す位相特性は、共振点以外は周波数が増加するのに伴い、１０ｋＨｚ付近までほぼ一定に推移する。
【０００４】
しかし、周波数が更に高くなると、上述したレンズ駆動装置の固有共振があるため、その固有共振周波数（例えば２０ｋＨｚ）付近では図１２に示すように位相特性が急激に変化し、位相遅れが１８０度に達すると制御系が不安定になる。
【０００５】
そこで、各制御系の固有共振周波数を考慮して各高次共振がそれぞれ各サーボ帯域外になるように設計している。つまり、実際のサーボ制御で必要となる帯域を例えば上限が２ｋＨｚ〜５ｋＨｚとなるように設計することにより、上記固有共振周波数付近で生じる位相変化の影響を受けないようにしている。
【発明の開示】
【発明が解決しようとする課題】
【０００６】
ところで、近年、ディスクプレーヤは、ディスクを標準速度の２倍或は４倍で回転させる速度の高速化が行われており、ディスクプレーヤのレンズ駆動装置により高速の信号の読み取り、或は書き込みを行わせる必要が生じてきている。
【０００７】
信号の読み取り、或は書き込みの高速化が行われると、各制御系の各サーボ帯域がそれぞれ広帯域化し、高域まで拡大する必要が生じる。しかし、上述したように、例えば２０ｋＨｚ付近に固有共振周波数が存在すると、各サーボ帯域と高次共振とのマージンを確保するのが困難となり、各サーボ制御系が不安定になるという問題が発生する。
【０００８】
本発明は、上記問題点に鑑み成されたものであり、その目的は固有共振周波数を高域に移動させ、高速化しても安定して動作するディスクプレーヤのレンズ駆動装置を提供することにある。
【課題を解決するための手段】
【０００９】
上記課題を解決するため、請求項１に記載の本発明に係るディスクプレーヤのレンズ駆動装置は、ディスクプレーヤのレンズ駆動装置であって、対物レンズが固着された上面壁と該上面壁に連結されて互いにトラッキング方向に離間整列された一対の側面壁とを有するとともに、前記一対の側面壁間に開口が設けられたホルダと、前記開口を塞ぐように、前記上面壁と前記一対の側面壁との双方の両側面に取り付けられた一対の平板状プリントコイルと、を備えたことを特徴とする。
【発明の効果】
【００１０】
本発明によれば、ディスクプレーヤのレンズ駆動装置は、可動部を構成するホルダの左右側板を除去することによりホルダの小型化と軽量化がなされ、可動部の固有共振周波数を高域に移動することが可能となり、高速化しても安定して動作する。
【発明を実施するための最良の形態】
【００１１】
本発明のディスクプレーヤのレンズ駆動装置は、対物レンズ及び駆動コイルが固定されたホルダをフォーカス方向及びトラッキング方向に移動可能に支持するディスクプレーヤのレンズ駆動装置であって、ホルダは、全体が略方形状であり、対物レンズが固着される上面壁とトラッキング方向に沿って離間整列する一対の側面壁を備えるとともに、ジッタ方向に沿って整列する一対の側面壁が除去された構造であり、駆動コイルは、平板上にプリントして形成され、フォーカス方向及びトラッキング方向の駆動力を発生する平板状プリントコイルであり、平板状プリントコイルは、除去された側面壁の領域内において、一対の側面壁の側縁部に対してコイル面がトラッキング方向及びフォーカス方向のいずれかにも平行となるように固定したので、ホルダが平板状プリントコイルにより補強されると共に、ホルダの軽量化と小型化が図られ、ディスクプレーヤのレンズ駆動装置の固有共振周波数を高めることが可能となる。
【実施例】
【００１２】
図１は、本発明の開示例によるディスクプレーヤのレンズ駆動装置１００の要部外観図である。尚、図１（ａ）はディスクプレーヤのレンズ駆動装置１００の平面図を、図１（ｂ）はディスクプレーヤのレンズ駆動装置１００の側面図を示した。図１を参照しつつディスクプレーヤのレンズ駆動装置１００の構成を以下に説明する。
【００１３】
本発明のディスクプレーヤのレンズ駆動装置１００は、板状のアクチュエータベース１０上に磁場形成用のマグネット２０を固定した一対のヨーク２１が所定の磁気ギャップを設けて対向配置され、固定部材１１を介して複数のネジ１２によりアクチュエータベース１０に固定されると共に、アクチュエータベース１０上に複数のネジ１２により固定された支持ベース３１に４本の支持ワイヤ（又は線状の板バネでも良い）３２で移動可能に吊設された可動部５０を、一対のヨーク２１に固定され互いに対向配置されたマグネット２０の磁気ギャップ内に配して構成している。
【００１４】
各ヨーク２１は、両端の一部がコ状に折り曲げた補助ヨーク部２１ａを有し、これら補助ヨーク部２１ａで囲まれたヨーク２１の内側にマグネット２０がそれぞれ接着剤等により固定されている。ヨーク２１に固定された一対のマグネット２０は、所定の磁気ギャップを設けて対向配置することにより、フォーカスコイル４４とトラッキングコイル４５に対して夫々異なる磁場を形成する。尚、詳細は後述する。
【００１５】
可動部５０は、導電性の弾性部材で形成された４本の支持ワイヤ３２により上下左右自在に移動可能に吊設されている。この支持ワイヤ３２は、一方端が圧延拡大して引出部３２ａが形成され、支持ベース３１の成形時に支持ワイヤ３２の一部がアウトサート成形等により一体成形される。また、支持ワイヤ３２の他方端は、同様に、圧延拡大されて接続部３２ｂが形成され、後述するホルダ４０に設けられた４本の突出部４２ｂ、４３ｂに接着剤等で固定される。
【００１６】
また、可動部５０は、内部に対物レンズ４８が固着されたホルダ４０にフォーカスコイル４４とトラッキングコイル４５とが巻回されたものであり、フォーカスコイル４４とトラッキングコイル４５の各巻線の端末は、ホルダ４０の両側面に突出するように形成された４本の突出部４２ｂ、４３ｂに接着された支持ワイヤ３２の接続部３２ｂに半田等により接続される。
【００１７】
一方、支持ワイヤ３２の引出部３２ａには、図示しないリッツ線等が接続されており、外部からトラッキングコイル４５又はフォーカスコイル４４に駆動電流が供給される。可動部５０は、支持ワイヤ３２を介してトラッキングコイル４５又はフォーカスコイル４４に駆動電流が供給されると、磁気ギャップ内で駆動電流に応じてトラッキング（図中矢印Ｔ）方向及びフォーカス（図中矢印Ｆ）方向に自在に変移される。
【００１８】
本発明の開示例によるディスクプレーヤのレンズ駆動装置１００は、上述した可動部５０を構成するホルダ４０の構造に特徴がある。そこで、係るホルダ４０の構造を図２乃至図４を用いて以下に詳細に説明する。尚、図２はホルダ４０の概念図であり、図３は本発明の開示例によるディスクプレーヤのレンズ駆動装置１００に用いられるホルダ４０の構造図を、図４はホルダ４０にフォーカスコイル４４とトラッキングコイル４５を巻回した状態の可動部５０の外観図を示した。
【００１９】
本発明に用いられるホルダ４０は、図２（ａ）の概念図に示すようにジッタ（図中矢印Ｊ）方向の左右側板を除去した略方形状であり、図示しない対物レンズの光路となる開口部４１が形成された上面壁４２と、トラッキング（図中矢印Ｔ）方向に沿って離間整列する４本の突出部４２ａ、４３ａを有する一対の側面壁４３とで構成している。
【００２０】
ホルダ４０は、図２（ｃ）に示す従来の升状のホルダ構造に対して、ジッタ方向に沿って整列する左右側板（図中斜線（イ）及び（ロ）部分）を除去することでホルダ４０の小型軽量化を図っている。
【００２１】
ホルダ４０は、左右側板を除去することで、ホルダ４０のジッタ方向の固有共振周波数を高めることができる。周知のように一般に、構造体の固有共振周波数（或は固有振動数）は、以下の（１）式で示される。
ｆ＝１／２π（ｋ／ｍ）1/2・・・（１）
ここで、ｍは構造物の質量であり、ｋはバネ定数である。
【００２２】
また、上記バネ定数ｋは、以下の（２）式で示される。
ｋ＝４８ＥＩ／Ｌ3・・・（２）
ここで、Ｅは縦弾性係数、Ｉは断面二次モーメントであり構造物の材質により決定される定数であり、Ｌは構造物の長さを示す。
【００２３】
（１）式で示されるように、構造物の固有共振周波数（ｆ）は、構造体の質量（ｍ）の１／２乗に逆比例する。従って、ホルダ４０は、左右側板を除去することにより質量が低下し、ジッタ方向の固有共振周波数が高められる。
【００２４】
また、（２）式で示されるように、構造体のバネ定数（ｋ）は、構造体の長さ（ジッタ方向の長さ）（Ｌ）の３乗に逆比例する。従って、ホルダ４０は、左右側板を除去することによりジッタ方向の長さが短くなり、ジッタ方向の固有共振周波数が高められる。つまり、略方形状のホルダ４０の質量と寸法により形成されるジッタ方向の固有共振周波数は、従来の構造のホルダに比して著しく高域に移動することができる。尚、ホルダ４０は、左右側板を除去したことにより上面壁４２が撓む場合には、必要に応じて図２（ｂ）に示す開口部４６を形成した補強板４７を上面壁４２の上面或は上面壁４２の内面に設けるようにしても良い。
【００２５】
次に、本発明の開示例によるディスクプレーヤのレンズ駆動装置１００に用いられるホルダ４０の構造を図３を用いて説明する。尚、図３（ａ）はホルダ４０の上面図を、図３（ｂ）はホルダ４０をジッタ（図中矢印Ｊ）方向から見た時の側面図を、図３（ｃ）はホルダ４０をトラッキング（図中矢印Ｔ）方向から見た時の側面図を示した。
【００２６】
ホルダ４０は、ポリカーボネート又はＬＣＰ（液晶ポリマ）等の高剛性プラスチック或は非磁性材料の樹脂で成形され、全体が略方形状をしている。ホルダ４０は、上面壁４２の略中央に対物レンズ４８の光路となる開口部４１が形成されると共に、上面壁４２の両側（トラッキング方向、図中矢印Ｔ）に突出するように凹状の溝を有するアーム部４２ａが形成され、更にアーム部４２ａの外側に上面壁４２と略平坦に突出部４２ｂが形成されている。また、ホルダ４０のフォーカス（図中矢印Ｆ）方向に対向配置された一対の側壁部４３は、先端部に上記の上面壁４２のアーム部４２ａと略平行に対向配置されたアーム部４３ａと突出部４３ｂが形成されると共に、外周面上に凹状の巻線溝４３ｃが形成されている。
【００２７】
上記側壁部４３の巻線溝４３ｃは、フォーカスコイル４４用に設けられた巻回部（図中斜線（ハ）部）であり、巻回部の深さは、巻回部に所定の巻数のフォーカスコイル４４を巻回した状態でフォーカスコイル４４の最外周が上面壁４２のトラッキング方向の外周縁部に対して略平坦となると共に、上面壁４１のジッタ（図中矢印Ｊ）方向の外周縁部に対して略平坦となるように形成している。
【００２８】
また、上面壁４２の両側のアーム部４２ａと一対の側壁部４３のアーム部４３ａは、トラッキングコイル４５用の一対の巻回部（図中斜線（ニ）部）を構成し、巻回部の溝の深さは、巻回部に所定の巻数のトラッキングコイル４５を巻回した状態でトラッキングコイル４５の最外周が上面壁４２のフォーカス方向及びジッタ方向に対して略平坦となるように形成している。
【００２９】
上述のようにホルダ４０にフォーカスコイル４４とトラッキングコイル４５を所定の巻回部に巻回し、ホルダ４０の内部に対物レンズ４８を固着することにより図４に示すディスクプレーヤのレンズ駆動装置１００を構成する可動部５０が完成する。尚、図４（ａ）は可動部５０の上面図を、図４（ｂ）は可動部５０をジッタ方向から見た時の側面図を、 図４（ｃ）は可動部５０をトラッキング方向から見た時の側面図を示した。
【００３０】
可動部５０は、フォーカスコイル４４の端末が例えば側壁部４３に形成された一対の突出部４３ｂから導出されると共に、トラッキングコイル４５が上面壁４２及び側壁部４３に形成されたアーム部４２ａ、４３ａに連続して巻回され、例えば上面壁４２に形成された一対の突出部４２ｂから導出された状態にある。従って、可動部５０は、上面壁４２の突出部４２ｂと側壁部４３の突出部４３ｂを４本の支持ワイヤ３２に接着し、４本の支持ワイヤ３２に形成された各接続部３２ｂに各巻線の端末を半田付けすることにより、４本の支持ワイヤ３２で吊設された状態で駆動電流がフォーカスコイル４４及びトラッキングコイル４５に供給される。
【００３１】
次に、ディスクプレーヤのレンズ駆動装置１００に用いられる可動部５０の駆動動作を図５を用いて説明する。尚、図５（ａ）は支持ワイヤ３２に吊設された可動部５０と、係る可動部５０を両側から挟むように配置されたマグネット２０が固定されたヨーク２１部分だけを示す平面図であり、図５（ｂ）はマグネット２０、補助ヨーク部２１ａ、及びトラッキングコイル４５等の一部を示す模式図であり、図５（ｃ）はマグネット２０とフォーカスコイル４４の一部を示す模式図である。以下、図中丸の中点は、紙面の裏面から表面に向けて貫く電流又は磁束の方向を示し、丸の中クロスは、紙面の表面から裏面に向けて貫く電流又は磁束の方向を示すものとする。
【００３２】
図５（ａ）は、所定の磁気ギャップで対向配置されたマグネット２０が固定された一対のヨーク２１の略中央に４本の支持ワイヤ３２に吊設された可動部５０を配した状態を示している。図５（ａ）に示すように対向配置されたヨーク２１に固定されたマグネット２０は、Ｎ極を可動部５０側に、Ｓ極をヨーク２１側に形成している。マグネット２０の磁束は、可動部５０の略中央（主にフォーカスコイル４４が配置されている領域）付近では、マグネット２０から発せられた直後は対向するマグネット２０の方向（ジッタ方向）に向いフォーカスコイル４４を貫くが、その後互いに反発し合いマグネット２０の上下方向（フォーカス方向）に向う磁路が形成される。また、トラッキングコイル４５付近におけるマグネット２０の磁束は、図中点線矢印で示すようにマグネット２０から発せられた直後は対向するマグネット２０の方向（ジッタ方向）に向いトラッキングコイル４５を貫くが、その後左右の補助ヨーク部２１ａに向う磁路が形成される。
【００３３】
従って、フォーカスコイル４４は、マグネット２０の表面から左右の補助ヨーク部２１ａに向かう磁場の影響を多少受けるが、マグネット２０の略中央に配置されていることから、対向するマグネット２０の方向（ジッタ方向）に向う磁場の影響が支配的となる。又、トラッキングコイル４５は、対向するマグネット２０の方向（ジッタ方向）に向う磁場の影響を多少受けるが、Ｓ極の補助ヨーク部２１ａがマグネット２０に近接配置されていることから、マグネット２０の表面から左右の補助ヨーク部２１ａに向かう磁場の影響が支配的となる。
【００３４】
可動部５０は、上述した磁場の中で、トラッキングコイル４５に図５（ｂ）に示す方向の駆動電流が供給されると、フレミング左手の法則により図中矢印Ｔ方向の駆動力を受ける。また、駆動電流が上述した方向と逆方向に供給されると、図中矢印Ｔ方向と逆方向に駆動力を受ける。つまり、可動部５０は、トラッキング方向に駆動される。
【００３５】
また、可動部５０は、フォーカスコイル４４に図５（ｃ）に示す矢印方向の駆動電流が供給されると、フレミング左手の法則により図中Ｆ（紙面を裏面から表面に向けて貫く）方向の駆動力を受ける。また、駆動電流が図に示す矢印方向と逆方向に供給されると、紙面を表面から裏面に向けて貫く方向の駆動力を受ける。つまり、可動部５０は、フォーカス方向に駆動される。
【００３６】
上述したように本発明の開示例によるディスクプレーヤのレンズ駆動装置１００に用いられる可動部５０は、ホルダ４０に巻回されたフォーカスコイル４４及びトラッキングコイル４５の最外周が上面壁４２のジッタ方向の外周縁部に対して略平坦となるように形成しているので、対向配置されたマグネット２０に対して可動部５０を近接配置することが可能となり、磁気回路の駆動力を向上させることができる。
【００３７】
次に、本発明の実施例によるディスクプレーヤのレンズ駆動装置２００を図６を用いて以下に説明する。尚、図６（ａ）はアクチュエータベース１０を省いたディスクプレーヤのレンズ駆動装置２００の平面図を、図６（ｂ）はディスクプレーヤのレンズ駆動装置２００の側面図を示した。
【００３８】
本発明の実施例によるディスクプレーヤのレンズ駆動装置２００は、板状のアクチュエータベース１０上にマグネット２２を固定した一対のＬ状のヨーク２３が所定の磁気ギャップを設けて対向配置され、複数のネジ１２で固定されると共に、アクチュエータベース１０上に複数のネジ１２により固定された支持ベース３１に４本の支持ワイヤ３２で吊設された可動部８０を一対のヨーク２３で形成される磁気ギャップ内に配して構成している。
【００３９】
本発明の実施例が開示例と異なる点は、可動部８０を構成するホルダ６０の形状と、フォーカスコイルとトラッキングコイルを平板状プリントコイル７０で形成した点である。また、これに伴い、マグネット２２を２分割多極着磁したものを用いている。
【００４０】
先ずホルダ６０の構造を図７を用いて説明する。尚、図７（ａ）はホルダ６０の上面図を、図７（ｂ）はホルダ６０をジッタ方向から見た時の側面図を、図７（ｃ）はホルダ６０をトラッキング方向から見た時の側面図を示した。
【００４１】
ホルダ６０は、図７に示すように樹脂成形された全体が略方形状であり、上面壁６２の中央に対物レンズ４８の光路となる開口部６１が形成され、上面壁６２の両側（トラッキング方向、図中矢印Ｔ）に突出する突出部６２ａが形成されると共に、上面壁６２に連結されたトラッキング方向に沿って離間整列する一対の側面壁６３の先端に、上面壁６２の突出部６２ａと対向配置して突出部６３ａが形成されている。また、開示例に用いたホルダ４０と同様に、ホルダ６０のジッタ方向に沿って整列する左右側板を除去することでホルダ６０の質量が低下し、ジッタ方向の固有共振周波数が高められる。また、図７（ｃ）に示すようにホルダ６０の側面壁６３の略中央に開口窓６３ｂを設けることにより、ホルダ６０の質量を更に低減するように構成しても良い。
【００４２】
つまり、実施例で用いるホルダ６０が開示例のホルダ４０と異なる点は、ホルダ６０にフォーカスコイルとトラッキングコイルを巻回する巻回部を設けていない点である。
【００４３】
次に、可動部８０を構成する平板状プリントコイル７０の構造を図８を用いて説明する。尚、図８（ａ）は平板状プリントコイル７０の上面図を、図８（ｂ）は平板状プリントコイル７０の側面図を示した。
【００４４】
平板状プリントコイル７０は、例えばガラスエポキシ等の平板状の両面基板７１の一方の銅箔を渦巻状にエッチングしてコイルを形成したもので、表面に保護膜を形成した１つのフォーカスコイル７２ａと４つのトラッキングコイル７２ｂとで構成している。
【００４５】
平板状プリントコイル７０は、後述する２分割多極着磁されたマグネット２２との位置的な関係から基板７１の略中央に例えばフォーカスコイル７２ａを形成し、フォーカスコイル７２ａと離間する両側で、且つフォーカスコイル７２ａの中心線（図中Ａ−Ａ部）に対して離間対向する位置に４つのトラッキングコイル７２ｂを配置している。
【００４６】
フォーカスコイル７２ａの端末は、基板７１の他方の銅箔に形成されたフォーカスコイル７２ａ用の出力端子７３ａにスルホール等で配線され、図示せぬ引出線により支持ワイヤ３２の一方の接続部３２ｂに半田付けされる。また、互いに直列接続された４つのトラッキングコイル７２ｂの端末は、基板７１の他方の銅箔に形成されたトラッキングコイル７２ｂ用の出力端子７３ｂにスルホール等で配線され、図示せぬ引出線により支持ワイヤ３２の他方の接続部３２ｂに半田付けされる。尚、平板状プリントコイル７０は、必要に応じてフォーカスコイル７２ａとトラッキングコイル７２ｂが形成された複数の基板７１を積層し、スルホール等により各コイル間を接続することで巻数の多い平板状プリントコイル７０としても良い。
【００４７】
上述したホルダ６０の内部に対物レンズ４８を固着し、ホルダ６０のジッタ方向の両側面、つまり除去された左右側板の領域内に平板状プリントコイル７０を接着剤等で固定することで、図９に示す実施例によるディスクプレーヤのレンズ駆動装置２００を構成する可動部８０が完成する。
【００４８】
実施例に用いられる可動部８０は、ホルダ６０のジッタ方向の両側面に平板状プリントコイル７０を固定することで、コイル面がフォーカス方向及びトラッキング方向のいずれにも平行となるように構成している。
【００４９】
可動部８０は、上面壁６２の突出部６２ａと側壁部６３の突出部６３ａを４本の支持ワイヤ３２に接着し、支持ワイヤ３２に形成された各接続部３２ｂに各巻線の端末を半田付けすることで支持ワイヤ３２で吊設された状態で駆動電流がフォーカスコイル７２ａ及びトラッキングコイル７２ｂに供給される。
【００５０】
次に、ディスクプレーヤのレンズ駆動装置２００に用いられる可動部８０の駆動動作を図１０を用いて説明する。尚、図１０（ａ）は磁気ギャップに可動部８０を配した時のマグネット２２と平板状プリントコイル７０の位置的な関係を、図１０（ｂ）はマグネット２２と基板７１上に形成されたフォーカスコイル７２ａとの位置的な関係を示し、図１０（ｃ）はマグネット２２と基板７１上に形成されたトラッキングコイル７２ｂとの位置的な関係をそれぞれ示している。
【００５１】
ディスクプレーヤのレンズ駆動装置２００に用いられるマグネット２２は、２つの異なる第１の磁極（Ｎ極）と第２の磁極（Ｓ極）を有する長方板材であり、１個の磁石を２分割多極着磁することにより第１の磁極（Ｎ極）と第２の磁極（Ｓ極）を隣接して形成するか、或はＮ極とＳ極に単極着磁された磁石を上下に積重ねて形成している。
【００５２】
図１０（ａ）に示すように、フォーカスコイル７２ａは、マグネット２２のＮ極とＳ極に股がるように配置される。このように配置することでフォーカス方向の駆動力が発生する。また、４つのトラッキングコイル７２ｂの内、２つのトラッキングコイル７２ｂはマグネット２２のＮ極側に配置すると共に、トラッキングコイル７２ｂのトラッキング方向の内側、約半分がマグネット２２の磁界に入るように配置する。同様に、他の２つのトラッキングコイル７２ｂはマグネット２２のＳ極側に配置すると共に、トラッキングコイル７２ｂのトラッキング方向の内側、約半分がマグネット２２の磁界に入るように配置する。このように配置することでトラッキングコイルの７２ｂの一部の巻線部分だけが磁界の影響を受けトラッキング方向の駆動力が発生する。
【００５３】
図１０（ｂ）に示すように、フォーカスコイル７２ａはマグネット２２のＮ極とＳ極に股がるように配置されているので、フォーカスコイル７２ａに紙面上から手前に向う駆動電流が供給されると可動部８０は、図中矢印Ｆ方向、即ちフォーカス方向の駆動力を受ける。駆動電流の方向を逆にした場合は、矢印Ｆ方向と逆の方向の駆動力を受ける。また、図１０（ｃ）に示すように、上下一対のトラッキングコイル７２ｂはマグネット２２のＮ極側とＳ極側に配置されているので、トラッキングコイル７２ｂに図中矢印で示す方向の駆動電流が供給されると可動部８０は、図中Ｔで示す紙面上から手前に向う方向、即ちトラッキング方向の駆動力を受ける。また、駆動電流の方向を逆にした場合は、図中Ｔ方向とは逆の方向の駆動力を受ける。
【００５４】
上述したように本発明の実施例によるディスクプレーヤのレンズ駆動装置２００に用いられる可動部５０は、ホルダ６０に巻回部を設けず、ホルダ６０のジッタ方向に沿って整列する左右側板を除去した領域にフォーカスコイル７２ａとトラッキングコイル７２ｂが形成された平板状プリントコイル７０を接着剤等で固定するように構成したので、ホルダ６０の質量と寸法を低減すると共に、ホルダ６０の撓みやねじれ等に対して補強することができる。また、平板状プリントコイル７０で構成する可動部８０は、マグネット２２に対して近接配置することが可能となり、磁気回路の駆動力を更に向上させることができる。
【００５５】
以上説明したように本発明の開示例及び実施例で用いた各ホルダ４０、６０は、左右側板を除去することによりジッタ方向の長さが低下すると共に、各ホルダ４０、６０の質量を低減することが可能となり、以下に示す電気特性を得ることができた。
【００５６】
図１１は、開示例及び実施例の可動部６０、８０の電気的特性を示した図であり、横軸に周波数を、縦軸に利得と位相を示している。尚、図中点線は振幅特性を、実線は位相特性を示している。図１１に示すように、１０ｋＨｚ付近に進み位相が見られるものの略１００ｋＨｚ付近に渡って位相遅れが発生しない。即ち、固有共振周波数は、１００ｋＨｚ以上の高域に移動されたので、ディスクプレーヤを２倍速或は４倍速で使用しても、サーボ系は安定した動作が可能となる。
【図面の簡単な説明】
【００５７】
【図１】本発明の開示例によるディスクプレーヤのレンズ駆動装置の構造図。
【図２】本発明の開示例によるディスクプレーヤのレンズ駆動装置に用いられるホルダの概念図。
【図３】本発明の開示例によるディスクプレーヤのレンズ駆動装置に用いられるホルダの構造図。
【図４】本発明の開示例によるディスクプレーヤのレンズ駆動装置に用いられる可動部の外観図。
【図５】本発明の開示例によるディスクプレーヤのレンズ駆動装置を構成する可動部の動作を説明する図。
【図６】本発明の実施例によるディスクプレーヤのレンズ駆動装置の構造図。
【図７】本発明の実施例によるディスクプレーヤのレンズ駆動装置に用いられるホルダの構造図。
【図８】本発明の実施例によるディスクプレーヤのレンズ駆動装置の用いられる可動部を構成する平板状プリントコイルの構造図。
【図９】本発明の実施例によるディスクプレーヤのレンズ駆動装置を構成する可動部の構造図。
【図１０】本発明の実施例によるディスクプレーヤのレンズ駆動装置を構成する可動部の動作を説明する図。
【図１１】本発明によるディスクプレーヤのレンズ駆動装置の電気的特性を示す図。
【図１２】従来例におけるディスクプレーヤのレンズ駆動装置の電気的特性を示す図。
【符号の説明】
【００５８】
１０・・・アクチュエータベース
２０・・・マグネット
２１・・・ヨーク
３１・・・支持ベース
３２・・・支持ワイヤ
４４・・・フォーカスコイル
４５・・・トラッキングコイル
４８・・・対物レンズ
５０・・・可動部
１００・・ディスクプレーヤのレンズ駆動装置
【図１】
2007200551.tif 000003
【図２】
2007200551.tif 000004
【図３】
2007200551.tif 000005
【図４】
2007200551.tif 000006
【図５】
2007200551.tif 000007
【図６】
2007200551.tif 000008
【図７】
2007200551.tif 000009
【図８】
2007200551.tif 000010
【図９】
2007200551.tif 000011
【図１０】
2007200551.tif 000012
【図１１】
2007200551.tif 000013
【図１２】
2007200551.tif 000014